(57)【要約】      （修正有）【課題】分離しやすく、その結合が安定的である分離型エネルギー貯蔵機器、電流変換装置及びエネルギー貯蔵装置を提供する。【解決手段】本考案の分離型エネルギー貯蔵機器１は、電流変換装置２及びエネルギー貯蔵装置４を備え、該電流変換装置及びエネルギー貯蔵装置は分離して設置され、該電流変換装置は、電流変換装置とエネルギー貯蔵装置との結合表面に設置される第１のコネクタを備え、該エネルギー貯蔵装置は、第１のコネクタに対応してエネルギー貯蔵装置と電流変換装置との結合表面に設置される第２のコネクタを備え、結合する時、第１のコネクタと第２のコネクタは挿抜端子を介して電気的に導通される。本考案は電流変換装置２を更に提供し、該電流変換装置の結合表面には第１のコネクタが設置されている。本考案はエネルギー貯蔵装置４を更に提供し、該エネルギー貯蔵装置の結合表面には第２のコネクタが対応して設置されている。【選択図】図１
0003214145.tif 000002
【実用新案登録請求の範囲】
【請求項１】
電流変換装置及びエネルギー貯蔵装置を備え、該電流変換装置及びエネルギー貯蔵装置は分離して設置される分離型エネルギー貯蔵機器であって、
該電流変換装置は、電流変換装置とエネルギー貯蔵装置との結合表面に設置される第1のコネクタを備え、該エネルギー貯蔵装置は、第1のコネクタに対応するようにエネルギー貯蔵装置と電流変換装置との結合表面に設置される第2のコネクタを備え、結合される時、第1のコネクタと第2のコネクタは挿抜端子を介して電気的に導通されることを特徴とする分離型エネルギー貯蔵機器。
【請求項２】
該第1のコネクタと第2のコネクタが結合する時、上下に突合わせることを特徴とする請求項1に記載の分離型エネルギー貯蔵機器。
【請求項３】
該電流変換装置の結合表面には、2つのガイドバーが対称的で平行に設置され、該ガイドバーの長さは結合表面の長さの半分以上であり、該ガイドバーの外側に位置決め溝が設置され、該エネルギー貯蔵装置の結合表面にはガイド溝が対応して設置され、該ガイド溝の長さはガイドバーにマッチングし、該ガイド溝内には位置決めバーが設置され、電流変換装置とエネルギー貯蔵装置が結合する時、ガイドバーは上から下へガイド溝に挿入され、位置決め溝と位置決めバーが対応して係合されることを特徴とする請求項1に記載の分離型エネルギー貯蔵機器。
【請求項４】
該電流変換装置は電流変換装置の第1のコネクタ上に設置されるバックル溝を更に備え、該電流変換装置はエネルギー貯蔵装置上に対応して設置されるバックルを更に備え、結合する時、バックルはバックル溝に係合されることを特徴とする請求項1に記載の分離型エネルギー貯蔵機器。
【請求項５】
該電流変換装置は、結合面の頂部に設けられる溝を更に備えることを特徴とする請求項1に記載の分離型エネルギー貯蔵機器。
【請求項６】
ハンドル及び/又はストラップを更に備え、該ハンドルは給電装置の頂部に設置され、該ストラップは、ハンドルの両端に設置され、又はエネルギー貯蔵装置の一方側面に対称して設置されることを特徴とする請求項1に記載の分離型エネルギー貯蔵機器。
【請求項７】
該電流変換装置は内部に、インバータ、変圧器、整流器のうちの1つ又は任意の組合せを更に備え、該分離型エネルギー貯蔵機器は、太陽エネルギー入力インターフェース、車載インターフェース、商用電力充電インターフェースのうちの1つ又は任意の組合せを更に備え、電流変換装置の一方側面に設置され、該分離型エネルギー貯蔵機器は、交流電気出力インターフェース、直流電気出力インターフェース、USB出力インターフェースのうちの1つ又は任意の組合せを更に備え、電流変換装置の他方側面に設置されることを特徴とする請求項1に記載の分離型エネルギー貯蔵機器。
【請求項８】
該分離型エネルギー貯蔵機器は、長さが200mm〜300mm、幅が200mm〜400mm、高さが300mm〜500mmであることを特徴とする請求項1に記載の分離型エネルギー貯蔵機器。
【請求項９】
エネルギー貯蔵装置と結合して使用することに用いられ、該エネルギー貯蔵装置の結合表面に第2のコネクタが設置される電流変換装置であって、
該電流変換装置の結合表面に第1のコネクタが設置され、結合する時、第1のコネクタと第2のコネクタは挿抜端子を介して電気的に導通されることを特徴とする電流変換装置。
【請求項１０】
電流変換装置と結合して使用することに用いられ、該電流変換装置の結合表面に第1のコネクタが設置されるエネルギー貯蔵装置であって、
該エネルギー貯蔵装置の結合表面には第2のコネクタが対応して設置され、結合する時、第1のコネクタと第2のコネクタは挿抜端子を介して電気的に導通されることを特徴とするエネルギー貯蔵装置。
【考案の詳細な説明】
【技術分野】
【０００１】
本考案はエネルギー貯蔵機器の分野に関し、特に電池容量の交換が可能で、移動が可能な分離型エネルギー貯蔵機器、電流変換装置及びエネルギー貯蔵装置に関する。
【背景技術】
【０００２】
生活レベルの向上に伴って、ますます多くの人々にドライブ旅行等の活動が楽しまれている。外で旅行すると、必然的に多くの電子機器や電気製品を持ち運ぶことになる。しかし、多くの電子製品の電池容量に限界があり、バッテリを有していない電気機器もあるため、大容量で移動可能なエネルギー貯蔵機器を用いてこれらの製品に給電する必要がある。市販の多くのエネルギー貯蔵機器は一体化設計又は分離設計が合理的ではないため、電力を完全に消耗した後、必ず充電してから引き続き使用することができ、且つ自体のニーズに応じて電池容量を交換することができず、又は複数の予備用の電池を用意することは、ユーザに不便を与える。
【考案の概要】
【考案が解決しようとする課題】
【０００３】
従来のエネルギー貯蔵機器では電池容量を変更することができない技術問題を克服するために、本考案は、構成が簡単で、電池容量を交換可能な分離型エネルギー貯蔵機器、電流変換装置及びエネルギー貯蔵装置を提供する。
【課題を解決するための手段】
【０００４】
本考案は、電流変換装置及びエネルギー貯蔵装置を備え、該電流変換装置及びエネルギー貯蔵装置は分離設置される分離型エネルギー貯蔵機器であって、該電流変換装置は、電流変換装置とエネルギー貯蔵装置との結合表面に設置される第1のコネクタを備え、該エネルギー貯蔵装置は、第1のコネクタに対応してエネルギー貯蔵装置と電流変換装置との結合表面に設置される第2のコネクタを備え、結合の時、第1のコネクタと第2のコネクタは挿抜端子を介して電気的に導通される。
【０００５】
好ましくは、該第1のコネクタと第2のコネクタが結合する時、上下に突合わせる。
【０００６】
好ましくは、該電流変換装置の結合表面には、2つのガイドバーが対称的で平行に設置され、該ガイドバーの長さは結合表面の長さの半分以上であり、該ガイドバーの外側に位置決め溝が設置され、該エネルギー貯蔵装置の結合表面にはガイド溝が対応して設置され、該ガイド溝の長さはガイドバーに合わせ、該ガイド溝内に位置決めバーが設置され、電流変換装置とエネルギー貯蔵装置が結合する時、ガイドバーは上から下へガイド溝に挿入され、位置決め溝と位置決めバーが対応して係合される。
【０００７】
好ましくは、該電流変換装置は電流変換装置の第1のコネクタに設置されるバックル溝を更に備え、該電流変換装置はエネルギー貯蔵装置に対応して設置されるバックルを更に備え、結合の時、バックルはバックル溝に係合される。
【０００８】
好ましくは、該電流変換装置は、結合面の頂部に設けられる溝を更に備える。
【０００９】
好ましくは、更にハンドル及び/又はストラップを備え、該ハンドルは給電装置の頂部に設置され、該ストラップは、ハンドルの両端に設置され、又はエネルギー貯蔵装置の一方側面に対称的に設置される。
【００１０】
好ましくは、該電流変換装置は内部に、インバータ、変圧器、整流器のうちの1つ又は任意の組合せを更に備え、該分離型エネルギー貯蔵機器は、太陽エネルギー入力インターフェース、車載インターフェース、商用電力充電インターフェースのうちの1つ又は任意の組合せを更に備え、電流変換装置の一方側面に設置され、該分離型エネルギー貯蔵機器は、交流電気出力インターフェース、直流電気出力インターフェース、USB出力インターフェースのうちの1つ又は任意の組合せを更に備え、電流変換装置の他方側面に設置される。
【００１１】
好ましくは、該分離型エネルギー貯蔵機器は、長さが200mm〜300mm、幅が200mm〜400mm、高さが300mm〜500mmである。
【００１２】
本考案は、エネルギー貯蔵装置と結合して使用することに用いられ、該エネルギー貯蔵装置の結合表面に第2のコネクタが設置される電流変換装置であって、該電流変換装置の結合表面に第1のコネクタが設置され、結合の時、第1のコネクタと第2のコネクタは挿抜端子を介して電気的に導通される。
【００１３】
本考案は、電流変換装置と結合して使用することに用いられ、該電流変換装置の結合表面に第1のコネクタが設置されるエネルギー貯蔵装置であって、該エネルギー貯蔵装置の結合表面には第2のコネクタが対応して設置され、結合の時、第1のコネクタと第2のコネクタは挿抜端子を介して電気的に導通される。
【考案の効果】
【００１４】
従来技術に比べて、本考案は、以下のメリットを有する。
1.本考案に係る分離型エネルギー貯蔵機器の電流変換装置とエネルギー貯蔵装置は分割可能な構造によって一体に固定され、電流変換装置に第1のコネクタが設置され、該エネルギー貯蔵装置に第2のコネクタが設置されている。該第1のコネクタ及び第2のコネクタはいずれも高電流挿抜端子であり、使用する時、第1のコネクタ及び第2のコネクタは挿抜接続され、本考案の分離型エネルギー貯蔵機器は、重量及び外形寸法が大きいため、電流変換装置及びエネルギー貯蔵装置を一般的な接点によって接触接続させた場合、両者の接触不良が発生しやすく、分離型エネルギー貯蔵機器の動作が不安定になる可能性があるのに対し、この設計によれば、分離型エネルギー貯蔵機器の安定的な接続及び使用の確実性を確保することができる。
【００１５】
2.該電流変換装置及びエネルギー貯蔵装置は係合構造によって一体に固定され、該電流変換装置の結合表面には、2つのガイドバーが対称的で平行に設置され、該ガイドバーの長さは結合表面の長さの半分以上であり、該ガイドバーの外側に位置決め溝が設置され、該エネルギー貯蔵装置の結合表面にはガイド溝が対応して設置され、該ガイド溝の長さはガイドバーに合わせ、該ガイド溝内に位置決めバーが設置され、電流変換装置とエネルギー貯蔵装置が結合する時、ガイドバーは上から下へガイド溝に挿入され、位置決め溝が位置決めバーに対応して係合されることで、該係合構造によれば、安定的に係合され、電流変換装置及びエネルギー貯蔵装置は分離しにくくなる。
【００１６】
3.該電流変換装置及びエネルギー貯蔵装置は分割可能な構造によって一体に固定され、ニーズに応じて異なる容量のエネルギー貯蔵装置を交換することができ、電力消費が大きいユーザは複数のエネルギー貯蔵機器を携帯する必要がなくなり、1つの電流変換装置及び複数のエネルギー貯蔵装置のみを携帯して、交換して使用することで十分であり、又は、ユーザが需要に応じて異なる容量のエネルギー貯蔵装置を選択することもでき、エネルギー貯蔵機器が占める空間を大幅に減少させ、且つ電力消費が大きいユーザの費用支出を減少させる。
【００１７】
4.本考案の分離型エネルギー貯蔵機器は複数種の充電入力インターフェース及び出力インターフェースを有するため、複数種の充電方式で充電することができ、さらに該装置が複数種類の電気製品、モバイルデバイスに使用可能であり、ユーザが使用しやすく、ユーザ体験を大幅に向上させる。
【００１８】
5.本考案の電流変換装置は結合面の頂部に設けられている溝を含む。該溝の形状寸法が普通の手の大きさに合うようになっており、電流変換装置及びエネルギー貯蔵装置を分割する時、ユーザが手を置いたり力を入れたりする時に便利である。
【００１９】
6.本考案に係る分離型エネルギー貯蔵機器にはハンドル及びストラップが設置され、ユーザが当該装置を移動させる時に大変便利であり、ユーザの使用体験をさらに向上させる。
【００２０】
7.本考案に係る分離型エネルギー貯蔵機器は、内部構造が高度に統合され、その寸法が普通の同じ電池容量のエネルギー貯蔵機器より小さいため、ユーザが手持ち、ショルダークロス、肩担ぎ等の方式のいずれかにより該分離型エネルギー貯蔵機器を移動する時においても、該寸法、重量であれば、分離型エネルギー貯蔵機器を移動し易く、寸法又は重量の問題で該分離型エネルギー貯蔵機器の移動性を低下させることがない。
【図面の簡単な説明】
【００２１】
【図１】図1は本考案の第1の実施例に係る電流変換装置及びエネルギー貯蔵装置を備える分離型エネルギー貯蔵機器一方の視角からの立体図である。
【図２】図2は本考案の第1の実施例に係る電流変換装置及びエネルギー貯蔵装置を備える分離型エネルギー貯蔵機器の他方の視角からの立体図である。
【図３】図3は本考案に係る第1の実施例に係る電流変換装置の立体図である。
【図４】図4は本考案に係る第1の実施例のエネルギー貯蔵装置の立体図である。
【図５】図5は本考案に係る第1の実施例のエネルギー貯蔵装置の立体図である。
【図６】図6は本考案に係る第1の実施例のエネルギー貯蔵装置の立体図である。
【図７】図7は本考案に係る第1の実施例の分離型エネルギー貯蔵機器の取り付け模式図である。
【考案を実施するための形態】
【００２２】
本考案の目的、技術的解決手段及び利点をより明確にするために、以下、図面及び実施例を参照しながら、本考案を更に詳細に説明する。なお、ここで説明する具体的な実施例は本考案を解釈するものに過ぎず、本考案を限定するものではない。
【００２３】
図1及び図2に示すように、本考案に係る第1の実施例は分離型エネルギー貯蔵機器1を提供し、該分離型エネルギー貯蔵機器1は電流変換装置2及びエネルギー貯蔵装置4を備え、該エネルギー貯蔵装置4は電流変換装置2上に分割可能に固定される。
【００２４】
電流変換装置2の底部とエネルギー貯蔵装置4の底部は平面であり、電流変換装置2の重心とエネルギー貯蔵装置4の重心はいずれも自体の底部の平面内にあり、従って、分離型エネルギー貯蔵機器1全体が電流変換装置2とエネルギー貯蔵装置4に分割される時、2つの装置はいずれも直立して平らな地面上に置くことができ、分離型エネルギー貯蔵機器1の分割及び組み立てが便利である。
【００２５】
電流変換装置2は電流変換器（図示せず）、複数の入力インターフェース21及び複数の出力インターフェース23を備える。該電流変換器は電流変換装置2に内蔵され、該電流変換器にはインバータ、変圧器、整流器が高度に統合され、インバータは直流電気を交流電気に変換するものであり、エネルギー貯蔵機器における電気エネルギーを交流電気に変換して、普通の家電製品、例えばコンピュータ、テレビ、洗濯機、レンジフード、冷蔵庫、ビデオカメラ、マッサージ機、扇風機、照明器具に供給して使用する。整流器は交流電気を直流電気に変換した後、エネルギー貯蔵機器に対し充電するものである。変圧器は出力した交流電気又は直流電気を降圧または昇圧させて充電すべき電気製品に供給して使用する。
【００２６】
入力インターフェース21は電流変換装置2の一方側に設置され、該入力インターフェース21は電流を流して充電し、且つ該入力インターフェース21は整流器に電気的に接続される。入力インターフェース21は太陽エネルギー入力インターフェース211、車載インターフェース213及び商用電力充電インターフェース215を備え、該太陽エネルギー入力インターフェース211は外付けのソーラーパネルに接続され、ソーラーパネルが収集したエネルギーをエネルギー貯蔵装置4に入力することに用いられ、該車載インターフェース213は車載充電ポートに電気的に接続され、車載電池の電気エネルギーをエネルギー貯蔵装置4の中に入力することに用いられ、該商用電力充電インターフェース215は商用電力に接続され、商用電力でエネルギー貯蔵機器を充電することに用いられる。充電入力インターフェース21は複数種の充電入力方式を含むため、ユーザが対応する充電入力方式を自主的に選択する便利性を大幅に向上させ、単一の充電方式に制限されない。
【００２７】
出力インターフェース23は電流変換装置2の他方側に設置され、該出力インターフェース23はエネルギー貯蔵装置4における電気エネルギーを出力することに用いられ、インバータ及び変圧器に電気的に接続される。該出力インターフェース23は交流電気出力インターフェース231、直流電気出力インターフェース233及びUSB出力インターフェース235を備える。該交流電気出力インターフェース231は交流電気を出力し、家電製品、例えば洗濯機、冷蔵庫、電子レンジ等に供給して使用する。該直流電気出力インターフェース233は直流電気を出力し、小型電気製品、例えばビデオカメラ、電子望遠鏡等に供給して使用する。該USB出力インターフェース235は直流電気を出力し、モバイルデバイス、例えば携帯電話、タブレットＰＣ等に供給して使用する。出力インターフェース23は複数種の出力方式を含み、ユーザ側の異なる電気製品、モバイルデバイスに対する充電に対する需要を満足させることができる。
【００２８】
図3に示すように、電流変換装置2は2つのガイドバー61、2つの位置決め溝63を更に備え、該2つのガイドバー61は電流変換装置2とエネルギー貯蔵装置4との結合表面に対称的に設置され、該ガイドバー61は長さ方向が水平面に垂直しており、その突出方向がエネルギー貯蔵装置4に向いている。該位置決め溝63はガイドバー61の外側に設置され、その長さ方向が同様に水平面に垂直しており、その開口方向がガイドバー61の突出方向に垂直している。
【００２９】
電流変換装置2は第1のコネクタ81を更に備え、該第1のコネクタ81は電流変換装置2とエネルギー貯蔵装置4との結合表面の頂部に設置され、電源変換器を介して入力インターフェース21、出力インターフェース23に電気的に接続される。該第1のコネクタ81の頂部にはバックル溝91が設置され、該バックル溝91はエネルギー貯蔵装置4の結合ユニットに嵌合して使用される。
【００３０】
電流変換装置2は電流変換装置2の結合面の頂部に設置される溝95を更に備える。該溝95の形状、寸法は普通の手の大きさに合わせ、電流変換装置2とエネルギー貯蔵装置4を分割する時、ユーザが手を置いたり力を入れたりする時に便利である。
【００３１】
図4に示すように、エネルギー貯蔵装置4は2つのガイド溝65及び2つの位置決めバー67を備え、該2つのガイド溝65はエネルギー貯蔵装置4の結合表面に設置され、ガイドバー61に対応して設置される。該位置決めバー67はガイド溝65の開口に設置され、位置決め溝63に対応して設置される。ガイド溝65及びガイドバー61、位置決めバー67及び位置決め溝63は係合構造を構成する。
【００３２】
エネルギー貯蔵装置4には第2のコネクタ83及び電池（図示せず）が更に設置され、該電池はエネルギー貯蔵装置4に設置され、電流変換器に電気的に接続され、該電池は電気エネルギーを貯蔵することに用いられ、該電池は異なる容量の同種の電池に交換してもよく、従って、使用する時、該エネルギー貯蔵装置4は異なる容量を選択することができる。
【００３３】
該第2のコネクタ83はエネルギー貯蔵装置4の電流変換装置2に向ける面の中部に設置され、該第2のコネクタ83は電池に電気的に接続され、その頂部が第1のコネクタ81の底部に対応する。電流変換装置2とエネルギー貯蔵装置4を組み立てる時、第1のコネクタ81と第2のコネクタ83は電気的に導通され、電源突合せ構造を形成する。該電源突合せ構造はいずれも高電流挿抜端子であり、使用する時、第1のコネクタ81と第2のコネクタ83は挿抜接続され、この設計は分離型エネルギー貯蔵機器1の安定的な接続及び使用の確実性を確保する。
【００３４】
エネルギー貯蔵装置4にはバックル93が更に設置され、該バックル93はバックル溝91に対応してエネルギー貯蔵装置4の電流変換装置2に向ける面の頂部に設置される。該バックル93は弾性伸縮可能にバックル溝91に嵌め込むことができ、バックル溝91とともに締結構造を構成する。
【００３５】
図5に示すように、エネルギー貯蔵装置4はストラップ43及びハンドル41を備える。
【００３６】
該ハンドル41はエネルギー貯蔵装置4の頂部に設置され、ユーザが手でエネルギー貯蔵装置4を移動することに便利である。該ストラップ43の設置形態は2種あり、一方の形態はショルダークロス式であり、該ストラップ43はハンドル41の両端に固定設置され、ユーザは分離型エネルギー貯蔵機器1全体を肩に掛けて移動することができる。図6に示すように、他方の形態は2つのストラップ43をエネルギー貯蔵装置4の電流変換装置2に向ける面の反対面に対称的に設置され、ユーザは分離型エネルギー貯蔵機器1全体を肩に担ぎ、同様にユーザによるエネルギー貯蔵装置4の移動を便利にする。
【００３７】
本考案に係る分離型エネルギー貯蔵機器1は、内部構造が高度に統合され、その寸法が普通の同じ電池容量のエネルギー貯蔵機器より小さく、長さが200mm〜300mm、幅が200mm〜400mm、高さが300mm〜500mmであり、好ましい寸法が長さ280mm、幅310mm、高さ420mmであり、その重量が22kg以下であり、ユーザが手持ち、ショルダークロス、肩担ぎ等の方式のいずれかを用いて該分離型エネルギー貯蔵機器1を移動することにもかかわらず、該寸法、重量の分離型エネルギー貯蔵機器1を移動しやすく、寸法又は重量問題で該分離型エネルギー貯蔵機器1の移動性を低下させることがない。
【００３８】
図7に示すように、本考案の分離型エネルギー貯蔵機器1は異なるニーズに応じて、異なる容量のエネルギー貯蔵装置4を交換することができ、交換過程は以下のとおりである。
【００３９】
バックル93の頂部を押して、バックル93をバックル溝91から脱落させ、下から上へ電流変換装置2を係合構造6のガイド溝65に沿って脱落させる。電流変換装置2のガイドバー61の底部を交換すべきエネルギー貯蔵装置4のガイド溝65の頂部に位置合わせ、バックル93を押して、電流変換装置2がガイド溝65に沿って上から下へ係合され、第1のコネクタ81と第2のコネクタ83は接続され、係合が完了する。
【００４０】
本考案は第2の実施例を有し、該分離型エネルギー貯蔵機器1は更に第2のエネルギー貯蔵装置（図示せず）を備え、該第2のエネルギー貯蔵装置に第2の電池が内蔵され、そのうち一方側面には電流変換装置2のガイドバー61及び位置決め溝63に対応する第2のガイド溝及び第2の位置決めバーが設置され、係合構造を構成し、該側面には第1のコネクタ81に対応する第3コネクタが更に設置され、電源突合せ構造を構成する。他方側面にはエネルギー貯蔵装置4のガイド溝65及び位置決めバー67に対応する第2のガイドバー及び第2の位置決め溝が設置され、同様にエネルギー貯蔵装置4とともに係合構造を構成し、該他方側面には第2のコネクタ83に対応する第4コネクタが更に設置され、電源突合せ機構を構成する。該第2のエネルギー貯蔵装置は電流変換装置2とエネルギー貯蔵装置4との間に設置され、電源突合せ構造を介して電流変換装置2及びエネルギー貯蔵装置4に電気的に導通され、分離型エネルギー貯蔵機器のエネルギー貯蔵容量の増大を達成することができる。
【００４１】
本考案は第3実施例を有し、分離型エネルギー貯蔵機器の電流変換装置（図示せず）であり、該分離型エネルギー貯蔵機器の電流変換装置は本考案に係る第1の実施例の分離型エネルギー貯蔵機器1における電流変換装置2であり、該分離型エネルギー貯蔵機器の電流変換装置はエネルギー貯蔵装置と合わせて使用する。
【００４２】
本考案は第4実施例を有し、分離型エネルギー貯蔵機器のエネルギー貯蔵装置（図示せず）であり、該分離型エネルギー貯蔵機器のエネルギー貯蔵装置は本考案に係る第1の実施例の分離型エネルギー貯蔵機器1におけるエネルギー貯蔵装置4であり、該分離型エネルギー貯蔵機器のエネルギー貯蔵装置は電流変換装置と合わせて独立に使用することができる。
【００４３】
本考案に係る分離型エネルギー貯蔵機器1は従来技術に対して、以下のメリットを有する。
【００４４】
1.本考案の分離型エネルギー貯蔵機器1の電流変換装置2とエネルギー貯蔵装置4は分割可能な構造によって一体に固定して、電流変換装置2に第1のコネクタ81が設置され、該エネルギー貯蔵装置4に第2のコネクタ83が設置される。該第1のコネクタ81及び第2のコネクタ83はいずれも高電流挿抜端子であり、使用する時、第1のコネクタ81及び第2のコネクタ83は挿抜接続され、本考案の分離型エネルギー貯蔵機器1は、重量及び外形寸法が大きいため、電流変換装置2及びエネルギー貯蔵装置4を一般的な接点によって接触接続させた場合、両者の接触不良が発生しやすく、分離型エネルギー貯蔵機器1の動作が不安定になる可能性があるのに対し、この設計によれば、分離型エネルギー貯蔵機器1の安定的な接続及び使用の確実性を確保することができる。
【００４５】
2.該電流変換装置2及びエネルギー貯蔵装置4は係合構造によって一体に固定され、該電流変換装置2の結合表面上には、2つのガイドバー61が対称的で平行に設置され、該ガイドバー61の長さは結合表面の長さの半分以上であり、該ガイドバー61の外側に位置決め溝63が設置され、該エネルギー貯蔵装置4の結合表面にはガイド溝65が対応して設置され、該ガイド溝65の長さはガイドバー61に合わせ、該ガイド溝62内に位置決めバー67が設置され、電流変換装置2とエネルギー貯蔵装置4が結合する時、ガイドバー61が上から下へガイド溝65に挿入され、位置決め溝65と位置決めバー67が対応して係合されることで、該係合構造によれば、安定的に係合され、電流変換装置2及びエネルギー貯蔵装置4は分離しにくくなる。
【００４６】
3.該電流変換装置2及びエネルギー貯蔵装置4は分割可能な構造によって一体に固定して、ニーズに応じて異なる容量のエネルギー貯蔵装置4を交換することができ、電力消費が大きいユーザは複数のエネルギー貯蔵機器を携帯する必要がなくなり、1つの電流変換装置2及び複数のエネルギー貯蔵装置4のみを携帯して、交換して使用することで十分であり、又は、ユーザが需要に応じて異なる容量のエネルギー貯蔵装置4を選択することもでき、エネルギー貯蔵機器が占める空間を大幅に減少させ、且つ電力消費が大きいユーザの費用支出を減少させる。
【００４７】
4.本考案の分離型エネルギー貯蔵機器1は複数種の充電入力インターフェース21及び出力インターフェース23を有するため、複数種の充電方式で充電することができ、さらに該装置が複数種の電気製品、モバイルデバイスに使用可能であり、ユーザが使用しやすく、ユーザ体験を大幅に向上させる。
【００４８】
5.本考案の電流変換装置は結合面の頂部に設けられる溝95を備える。該溝95の形状寸法が普通の手の大きさに合うようになっており、電流変換装置2及びエネルギー貯蔵装置4を分割する時、ユーザが手を置いたり力を入れたりする時に便利である。
【００４９】
6.本考案に係る分離型エネルギー貯蔵機器1にはハンドル41及びストラップ43が設置され、ユーザによる該装置移動の便利性を大幅に向上させ、ユーザ体験をさらに向上させる。
【００５０】
7.本考案に係る分離型エネルギー貯蔵機器1は、内部構造が高度に統合され、その寸法が普通の同じ電池容量のエネルギー貯蔵機器より小さいため、ユーザが手持ち、ショルダークロス、肩担ぎ等の方式のいずれかを用いて該分離型エネルギー貯蔵機器1を移動する時においても、該寸法、重量であれば、分離型エネルギー貯蔵機器1を移動しやすく、寸法又は重量の問題で該分離型エネルギー貯蔵機器1の移動性を低下させることがない。
【００５１】
以上は、本考案の好適な実施例に過ぎず、本発明を制限するものではなく、本考案の趣旨内に行った如何なる修正、同等な置換及び改良等はいずれも本考案の保護範囲内に含まれる。
【図１】
0003214145.tif 000003
【図２】
0003214145.tif 000004
【図３】
0003214145.tif 000005
【図４】
0003214145.tif 000006
【図５】
0003214145.tif 000007
【図６】
0003214145.tif 000008
【図７】
0003214145.tif 000009